(57)【要約】      （修正有）【課題】粉粒体等からなる搬送物がバケットからこぼれ落ちるのを抑制するとともに、コンベヤケースとバケットとの干渉による干渉音や損傷を回避して優れたコンベヤ寿命と円滑な搬送とを達成するバケット式コンベヤを提供すること。【解決手段】コンベヤケース１１０内の駆動スプロケットと従動スプロケット１２２との間を垂直循環させる伝動チェーン１３０に両端支持されてコンベヤケース１１０の投入口１１１から投入落下した粉粒体等からなる搬送物を収容搬送する複数のバケット１３１を備え、伝動チェーン１３０を掛架するとともにバケット１３１をコンベヤケース１１０の投入口１１１に向けて持ち上げ近接させる投入口前方側スプロケット１５１と投入口後方側スプロケット１５２とがコンベヤケース１１０内の投入口１１１を跨ぐ搬送方向の前後位置に設けられているバケット式コンベヤ。【選択図】図２
2011088742.tif 000002
【特許請求の範囲】
【請求項１】
粉粒体等からなる搬送物を投入落下する投入口をケース天井部に設けたコンベヤケースと、該コンベヤケース内に配置した左右一対の駆動スプロケットと従動スプロケットとの間を垂直循環させる左右一対の伝動チェーンと、該伝動チェーンの相互間に両端支持して投入口から投入落下した搬送物を収容搬送する複数のバケットとを備えたバケット式コンベヤにおいて、
前記伝動チェーンを掛架してバケットを投入口に向けて持ち上げ近接させる投入口前方側スプロケットと投入口後方側スプロケットとが、前記コンベヤケース内の投入口を跨ぐ搬送方向の前後位置に設けられていることを特徴とするバケット式コンベヤ。
【請求項２】
前記伝動チェーンの張力を緊張付加するテークアップ用スプロケットが、前記投入口前方側スプロケットと従動スプロケットとの間に設けられていることを特徴とする請求項１に記載のバケット式コンベヤ。
【請求項３】
前記テークアップ用スプロケットが、前記テークアップ用スプロケットの逆転を阻止して伝動チェーンの張力を緩み止めする逆転防止手段を備えていることを特徴とする請求項２に記載のバケット式コンベヤ。
【請求項４】
前記伝動チェーンの持ち上げ近接位置を位置決め規制する位置規制ガイドレールが、前記投入口前方側スプロケットと投入口後方側スプロケットとの間に設けられていることを特徴とする請求項１乃至請求項３のいずれか１つに記載のバケット式コンベヤ。
【請求項５】
前記投入口前方側スプロケットと投入口後方側スプロケットとの間のケース天井部が、前記伝動チェーンの搬送方向に向けて生じるカテナリー曲線に沿うように形成されていることを特徴とする請求項１乃至請求項４のいずれか１つに記載のバケット式コンベヤ。
【発明の詳細な説明】
【技術分野】
【０００１】
本発明は、粉粒体、バラ物、塊状体等の搬送物を搬送するバケット式コンベヤに関するものであって、特に、バケット式コンベヤにおける投入口の構造に関するものである。
【背景技術】
【０００２】
従来、粉粒体、バラ物、塊状体等の搬送物をコンベヤケース内でガイドレール上を垂直循環走行する左右一対の伝動チェーンの相互間に複数のバケットが取り付けられ、搬送物を投入口からバケット内に投入して搬送し排出口でバケット内の搬送物を排出するバケット式コンベヤが知られている。
【０００３】
このような従来のバケット式コンベヤとして、例えば、図５に示すように、投入口５１１を含む伝動チェーン５３０の全走行領域において伝動チェーン５３０を下方から支持して案内するガイドレール５４０を設けるとともに、投入口５１１のケース天井部からバケット５３１の両端部に向けて垂下する左右一対の飛散防止ガイド５８０を設けたバケット式コンベヤ５００が採用されている。
【先行技術文献】
【特許文献】
【０００４】
【特許文献１】特開２００４−６７３３３号公報（図１乃至図３）
【発明の概要】
【発明が解決しようとする課題】
【０００５】
前述したような従来のバケット式コンベヤ５００では、伝動チェーン５３０を下方から支持して案内するガイドレール５４０と投入口５１１のケース天井部からバケット５３１の両端部に向けて垂下する左右一対の飛散防止ガイド５８０とを設けているため、バケット５３０を投入口５１１に近づけることができず、投入口５１１からバケット５３１に投入落下された粉粒体等からなる搬送物Ｍの一部がバケット５３１から依然としてこぼれ落ちるという問題があった。
さらに、搬送物Ｍがバケット５３１からこぼれ落ちないように、バケット５３１と飛散防止ガイド５８０との設置間隔を狭くした場合には、飛散防止ガイド５８０を潜り抜けた搬送物Ｍがコンベヤケース５１０内に落下拡散してガイドレール５４０上に滞積し、このガイドレール５４０上に滞積した搬送物Ｍに伝動チェーン５３０が乗り上げるため、バケット５３１が飛散防止ガイド５８０と干渉して耳障りな干渉音を発生したり、バケット５３１やコンベヤケース５１０を損傷したりして、コンベヤ寿命を短縮するという問題があった。
【０００６】
また、バケット５３１と飛散防止ガイド５８０とが相互に干渉しないように、バケット５３１と飛散防止ガイド５８０との設置間隔を広くした場合には、飛散防止ガイド５８０が投入口５１１からバケット５３１に投入された搬送物Ｍのこぼれ落ちを有効に抑制することができないという問題があった。
【０００７】
そこで、本発明は、従来の問題を解決するものであって、すなわち、本発明の目的は、粉粒体等からなる搬送物がバケットからこぼれ落ちるのを抑制するとともに、コンベヤケースとバケットとの干渉による干渉音や損傷を回避して優れたコンベヤ寿命と円滑な搬送とを達成するバケット式コンベヤを提供することである。
【課題を解決するための手段】
【０００８】
請求項１に係る本発明は、粉粒体等からなる搬送物を落下投入する投入口をケース天井部に設けたコンベヤケースと、該コンベヤケース内に配置した左右一対の駆動スプロケットと従動スプロケットとの間を垂直循環させる左右一対の伝動チェーンと、該伝動チェーンの相互間に両端支持して投入口から落下投入した搬送物を収容搬送する複数のバケットとを備えたバケット式コンベヤにおいて、前記伝動チェーンを掛架してバケットを投入口に向けて持ち上げ近接させる投入口前方側スプロケットと投入口後方側スプロケットとが、前記コンベヤケース内の投入口を跨ぐ搬送方向の前後位置に設けられていることにより、前述したような課題を解決したものである。
【０００９】
請求項２に係る本発明は、請求項１に係る発明の構成に加えて、前記伝動チェーンの張力を緊張付加するテークアップ用スプロケットが前記投入口前方側スプロケットと従動スプロケットとの間に設けられていることにより、前述したような課題をさらに解決したものである。
【００１０】
請求項３に係る本発明は、請求項２に係る発明の構成に加えて、前記テークアップ用スプロケットが前記テークアップ用スプロケットの逆転を阻止して伝動チェーンの張力を緩み止めする逆転防止手段を備えていることにより、前述したような課題をさらに解決したものである。
【００１１】
請求項４に係る本発明は、請求項１乃至請求項３のいずれか１つに係る発明の構成に加えて、前記伝動チェーンの持ち上げ近接位置を位置決め規制する位置規制ガイドレールが前記投入口前方側スプロケットと投入口後方側スプロケットとの間に設けられていることにより、前述したような課題をさらに解決したものである。
【００１２】
請求項５に係る本発明は、請求項１乃至請求項４のいずれか１つに係る発明の構成に加えて、前記投入口前方側スプロケットと投入口後方側スプロケットとの間のケース天井部が前記伝動チェーンの搬送方向に向けて生じるカテナリー曲線に沿うように形成されていることにより、前述したような課題をさらに解決したものである。
【発明の効果】
【００１３】
そこで、本発明のバケット式コンベヤは、粉粒体等からなる搬送物を落下投入する投入口をケース天井部に設けたコンベヤケースと、このコンベヤケース内に配置した左右一対の駆動スプロケットと従動スプロケットとの間を垂直循環させる左右一対の伝動チェーンと、これらの伝動チェーンの相互間に両端支持して投入口から落下投入した搬送物を収容搬送する複数のバケットとを備えていることによって、搬送物をバケットに入れたままの状態で運ぶことができるので搬送物を搬送途中で落下することなく確実に搬送することができるばかりでなく、以下のような本発明に特有の効果を奏することができる。
【００１４】
すなわち、請求項１に係る本発明のバケット式コンベヤによれば、投入口前方側スプロケットと投入口後方側スプロケットとがコンベヤケース内の投入口を跨ぐ搬送方向の前後位置に設けられていることにより、垂直循環する伝動チェーンの相互間に両端支持されたバケットを投入口に向けて持ち上げ近接させることが可能になるため、バケットに投入された搬送物がバケットからこぼれ落ちるのを有効に抑制することができる。
【００１５】
また、投入口前方側スプロケットと投入口後方側スプロケットとがコンベヤケース内の投入口を跨ぐ搬送方向の前後位置に設けられていることにより、コンベヤケース内において伝動チェーンを掛架した状態でバケットを投入口に向けて持ち上げ近接させるため、従来のバケット式コンベヤのような伝動チェーンがガイドレール上に滞積した搬送物に乗り上げてバケットが飛散防止ガイドと干渉して耳障りな干渉音を発生したり、バケットやコンベヤケースを損傷したりすることを回避して、優れたコンベヤ寿命と円滑な搬送とを達成することができる。
【００１６】
請求項２に係る本発明のバケット式コンベヤによれば、請求項１に係る発明が奏する効果に加えて、伝動チェーンの張力を緊張付加するテークアップ用スプロケットが投入口前方側スプロケットと従動スプロケットとの間に設けられていることにより、駆動スプロケットによる駆動力とテークアップ用スプロケットによる緊張力とで伝動チェーンの張力を緊張させるため、伝動チェーンの相互間に両端支持されたバケットを投入口に向けて確実に持ち上げ近接させて案内することができる。
【００１７】
請求項３に係る本発明のバケット式コンベヤによれば、請求項２に係る発明が奏する効果に加えて、テークアップ用スプロケットが逆転防止手段を備えていることにより、この逆転防止手段がテークアップ用スプロケットの逆転を阻止して伝動チェーンの張力を完全に緩み止めするため、伝動チェーンの相互間に両端支持されたバケットを投入口に向けて持ち上げ近接させた状態を安定して維持することができる。
【００１８】
請求項４に係る本発明のバケット式コンベヤによれば、請求項１乃至請求項３のいずれか１つに係る発明が奏する効果に加えて、位置規制ガイドレールが投入口前方側スプロケットと投入口後方側スプロケットとの間に設けられていることにより、この位置規制ガイドレールが伝動チェーンの持ち上げ近接位置を確実に位置決め規制して保持するため、バケットと投入口との間隔を一定に確保することができる。
【００１９】
請求項５に係る本発明のバケット式コンベヤによれば、請求項１乃至請求項４のいずれか１つに係る発明が奏する効果に加えて、投入口前方側スプロケットと投入口後方側スプロケットとの間のケース天井部が伝動チェーンの搬送方向に向けて生じるカテナリー曲線に沿うように形成されていることにより、ケース天井部と伝動チェーンの双方が必然的にカテナリー曲線を呈するため、投入口前方側スプロケットと投入口後方側スプロケットとの間で伝動チェーンやバケットの質量で伝動チェーンが垂れ下がっても、バケットと投入口との間隔を常に一定に確保することができる。
【図面の簡単な説明】
【００２０】
【図１】本発明の一実施例であるバケット式コンベヤの全体概略図。
【図２】図１に示すバケット式コンベヤの投入口側を拡大した正面図。
【図３】図２のＸ−Ｘ線位置で矢印方向に見た断面図。
【図４】本発明の他の実施例であるバケット式コンベヤの投入口側を拡大した正面図。
【図５】従来のバケット式コンベヤの断面図。
【発明を実施するための形態】
【００２１】
本発明は、粉粒体等からなる搬送物を落下投入する投入口をケース天井部に設けたコンベヤケースとこのコンベヤケース内に配置した左右一対の駆動スプロケットと従動スプロケットとの間を垂直循環させる左右一対の伝動チェーンと、これらの伝動チェーンの相互間に両端支持して投入口から落下投入した搬送物を収容搬送する複数のバケットとを備えたバケット式コンベヤにおいて、伝動チェーンを掛架してバケットを投入口に向けて持ち上げ近接させる投入口前方側スプロケットと投入口後方側スプロケットとがコンベヤケース内の投入口を跨ぐ搬送方向の前後位置に設けられ、粉粒体等からなる搬送物がバケットからこぼれ落ちるのを抑制するとともに、コンベヤケースとバケットとの干渉による干渉音や損傷を回避して優れたコンベヤ寿命と円滑な搬送とを達成するものであれば、その具体的な態様は、如何なるものであっても構わない。
【００２２】
すなわち、本発明のバケット式コンベヤに用いる伝動チェーンの具体的なチェーン形態については、左右一対の伝動チェーンの相互間にバケットを取り付けることが可能であれば良く、例えば、ローラチェーンあるいはブシュチェーンのいずれであっても差し支えない。
【００２３】
また、本発明で採用する投入口前方側スプロケットと投入口後方側スプロケットの具体的な形態については、コンベヤケース内において伝動チェーンを掛架した状態でバケットを投入口に向けて持ち上げ近接させるものであれば、如何なるスプロケット径、スプロケット歯数、設置高さなどであっても良い。
【００２４】
また、本発明で採用するテークアップ用スプロケットの具体的な形態については、駆動スプロケットによる駆動力とテークアップ用スプロケットによる緊張力とで伝動チェーンの張力を緊張させるものであれば、如何なるスプロケット径、スプロケット歯数、設置高さなどであっても良い。
【００２５】
また、本発明で採用する逆転防止手段の具体的な形態については、テークアップ用スプロケットの逆転を阻止して伝動チェーンの張力を完全に緩み止めするものであれば、如何なる形態であっても差し支えなく、例えば、テークアップ用スプロケットに組み込まれたラッチ爪機構や一方向クラッチ機構などであっても良い。
【００２６】
また、本発明で採用する位置規制ガイドレールの具体的な形態については、伝動チェーンの持ち上げ近接位置を確実に位置決め規制して保持するものであれば、如何なる形態のものであっても良い。
【００２７】
さらに、本発明における投入口前方側スプロケットと投入口後方側スプロケットとの間のコンベヤケースの天井部の具体的な形状については、フラットな形状であることが設計上一般的であるが、さらに好ましくは、投入口前方側スプロケットと投入口後方側スプロケットとの間のケース天井部が前記伝動チェーンの搬送方向に向けて生じるカテナリー曲線に沿うように形成されていることにより、投入口前方側スプロケットと投入口後方側スプロケットとの間で伝動チェーンやバケットの質量で伝動チェーンが垂れ下がってもバケットと投入口との間隔を常に一定に確保することができる。
【実施例】
【００２８】
以下、本発明の実施例であるバケット式コンベヤ１００を図１乃至図４に基づいて説明する。
ここで、図１は、本発明の一実施例であるバケット式コンベヤの全体概略図であり、図２は、図１に示すバケット式コンベヤの投入口側を拡大した正面図であり、図３は、図２のＸ−Ｘ線位置で矢印方向に見た断面図であって、図４は、本発明の他の実施例であるバケット式コンベヤの投入口側を拡大した正面図である。
【００２９】
まず、本発明の一実施例であるバケット式コンベヤ１００は、図１に示すように、粉粒体等からなる搬送物Ｍを投入落下する投入口１１１をケース天井部に設けるとともに搬送物Ｍを排出する排出口１１２をケース底部に設けたコンベヤケース１１０を備え、このコンベヤケース１１０内に配置した左右一対の駆動スプロケット１２１と従動スプロケット１２２との間を掛架されて垂直循環する左右一対のローラチェーンからなる伝動チェーン１３０を備え、さらに、これらの左右一対の伝動チェーン１３０の相互間に両端支持するとともに搬送方向に等間隔に取り付けて投入口１１１から投入落下した搬送物Ｍを収容搬送する複数のバケット１３１とを備えている。
【００３０】
そして、図１に示すバケット式コンベヤ１００は、搬送物Ｍをコンベヤケース１１０の下方位置に設けた投入口１１１からバケット１３１に投入し、このバケット１３１を水平搬送させ、次いで、上昇搬送を経て、高所空間を水平搬送させた後、水平搬送の終端位置に設けた排出口１１２にて搬送物Ｍを排出するようにレイアウト設計されている。
【００３１】
なお、本実施例のバケット式コンベヤ１００では、図１に示すようなレイアウト設計を採用しているが、コンベヤケース１１０の下方位置に設けた投入口１１１近傍において伝動チェーン１３０を水平搬送させて投入口１１１から投入落下した搬送物Ｍを収容搬送することが可能であれば、水平搬送のみ、あるいは、これ以外のレイアウト設計であっても適用できる。但し、伝動チェーン１３０が常に垂直曲がりであることは言うまでもない。
また、図１における符号１２３は、伝動チェーン１３０の走行方向を偏向案内する偏向スプロケットである。
【００３２】
そこで、本実施例のバケット式コンベヤ１００が最も特徴とする伝動チェーン１３０の具体的な配置形態について、図２及び図３に基づいて以下に詳しく説明する。
まず、図２に示すように、前述したコンベヤケース１１０内の投入口１１１を跨ぐ搬送方向の前後位置には、投入口前方側スプロケット１５１と投入口後方側スプロケット１５２とがそれぞれ設けられている。
すなわち、投入口前方側スプロケット１５１と投入口後方側スプロケット１５２との間において、伝動チェーン１３０が下方から支持されることなく掛架され、バケット１３１を投入口１１１に向けて持ち上げ近接させるようになっている。
【００３３】
したがって、本実施例では、コンベヤケース１１０内において伝動チェーン１３０を掛架した状態でバケット１３１を投入口１１１に向けて持ち上げ近接させているため、従来のバケット式コンベヤ５００のような伝動チェーン５３０がガイドレール上に滞積した搬送物Ｍに乗り上げてバケット５３１が飛散防止ガイドと干渉して耳障りな干渉音を発生したり、バケット５３１やコンベヤケース５１０を損傷したりすることを回避して、優れたコンベヤ寿命と円滑な搬送とを達成している。
【００３４】
そして、前述した従動スプロケット１２２と投入口前方側スプロケット１５１との間に伝動チェーン１３０の張力を緊張付加するテークアップ用スプロケット１５３が設けられている。
これによって、駆動スプロケット１２１による駆動力とテークアップ用スプロケット１５３による緊張力とで伝動チェーン１３０の張力を緊張させるため、伝動チェーン１３０の相互間に両端支持されたバケット１３１を投入口１１１に向けて確実に持ち上げ近接させて案内し、投入口１１１付近で垂れ下がらないようになっている。
【００３５】
なお、図２における符号１６０は、従動スプロケット１２２とテークアップ用スプロケット１５３との間に敷設されて伝動チェーン１３０の走行を支持案内する搬送側ガイドレールであり、図２における符号１５４は、持ち上げられた伝動チェーン１３０を搬送側ガイドレール１６０上に戻すように案内する投入口案内スプロケットである。ここで、この投入口案内スプロケット１５４は、ガイドレール１６０に置き換えても何ら差し支えない。
また、図３における符号１４０は、伝動チェーン１３０の走行を支持案内する戻り側ガイドレールである。
【００３６】
さらに、図２に示すテークアップ用スプロケット１５３には、図示しないが、ラッチ爪機構からなる逆転防止手段が設けられている。
そして、この逆転防止手段によって、テークアップ用スプロケット１５３の逆転を阻止して伝動チェーン１３０の張力を完全に緩み止めするため、伝動チェーン１３０の相互間に両端支持されたバケット１３１を投入口１１１に向けて持ち上げ近接させた状態を安定して維持するようになっている。
【００３７】
また、図２に示すように、前述した投入口前方側スプロケット１５１と投入口後方側スプロケット１５２との間には、伝動チェーン１３０にレール下面で当接する位置規制ガイドレール１７０が設けられている。
これにより、この位置規制ガイドレール１７０が、伝動チェーン１３０の持ち上げ近接位置をレール下面で確実に位置決め規制して保持するため、バケット１３１と投入口１１１との間隔を一定に確保するようになっている。
【００３８】
そこで、本実施例のバケット式コンベヤ１００は、以下のように作動する。
まず、図１に示す駆動スプロケット１２１の駆動力によって垂直循環される伝動チェーン１３０が、図２に示すように、従動スプロケット１２２で方向転換して搬送側ガイドレール１６０上を搬送方向に向けて走行した後、投入口前方側スプロケット１５１と投入口後方側スプロケット１５２とによって搬送側ガイドレール１６０から持ち上げられ、バケット１４１を投入口１１１に向けて持ち上げ近接させる。
【００３９】
このとき、テークアップ用スプロケット１５３が投入口前方側スプロケット１５１と従動スプロケット１２２との間に設けられているので、伝動チェーン１４０が、駆動スプロケット１２１の駆動による張力、すなわち、駆動力とテークアップ用スプロケット１５３のテークアップによる張力、すなわち、緊張力とにより、投入口前方側スプロケット１５１と投入口後方側スプロケット１５２との間において垂れ下がることなくバケットを投入口１１１に近づけたまま走行する。
【００４０】
そして、図示しないラッチ爪機構からなる逆転防止手段によって、テークアップ用スプロケット１５３の逆転を阻止して伝動チェーン１３０の張力を完全に緩み止めしている。
【００４１】
また、図３に示すように、持ち上げられた伝動チェーン１３０は、投入口前方側スプロケット１５１と投入口後方側スプロケット１５２との間に設けられた位置規制ガイドレール１７０のレール下面で確実に位置決め規制されながら案内される。
【００４２】
その後、投入口後方側スプロケット１５２を通過した伝動チェーン１４０は、投入口案内スプロケット１５４により低位置に降下され、再び、搬送側ガイドレール１６０上に強制的に戻され、水平走行する。
【００４３】
上述した走行手順により、本実施例のバケット式コンベヤ１００は、コンベヤケース１１０内において伝動チェーン１３０を掛架した状態でバケット１３１を投入口１１１に向けて持ち上げ近接させている。
【００４４】
なお、図４は、本発明の他の実施例であるバケット式コンベヤ２００であって、図１乃至図３に示すバケット式コンベヤ１００のケース天井部を改良したものである。
したがって、本発明の他の実施例であるバケット式コンベヤ２００のケース天井部以外の装置構成は、図１乃至図３に示すバケット式コンベヤ１００と全く同一であるため、その同一である装置構成の説明については省略し、ケース天井部について以下に説明する。
【００４５】
すなわち、図４に示すバケット式コンベヤ２００は、投入口前方側スプロケット２５１と投入口後方側スプロケット２５２との間のケース天井部が伝動チェーン２３０の搬送方向に向けて生じるカテナリー曲線に沿うように形成されていることにより、ケース天井部と伝動チェーン２３０の双方が必然的にカテナリー曲線を呈するため、投入口前方側スプロケット２５１と投入口後方側スプロケット２５２との間で伝動チェーン２３０やバケット２３１の質量で伝動チェーン２３０が垂れ下がっても、バケット２３１と投入口２１１との間隔を常に一定に確保できるようになっている。
【００４６】
このようにして得られた本発明の実施例であるバケット式コンベヤ１００は、コンベヤケース１１０内の駆動スプロケット１２１と従動スプロケット１２２との間を垂直循環させる伝動チェーン１３０に両端支持されてコンベヤケース１１０の投入口１１１から投入落下した粉粒体等からなる搬送物Ｍを収容搬送する複数のバケット１３１を備え、伝動チェーン１３０を掛架するとともにバケット１３１をコンベヤケース１１０の投入口１１１に向けて持ち上げ近接させる投入口前方側スプロケット１５１と投入口後方側スプロケット１５２とがコンベヤケース１１０内の投入口１１１を跨ぐ搬送方向の前後位置に設けられていることにより、従来のバケット式コンベヤ５００のような飛散防止ガイド５８０を用いることなく、投入口１１１からバケット１３１に投入された搬送物Ｍがバケット１３１からこぼれ落ちるのを有効に抑制できるとともに、従来のバケット式コンベヤ５００のようなコンベヤケース５１０とバケット５３１との干渉による干渉音や損傷を回避し、優れたコンベヤ寿命と円滑な搬送とを達成できる。
【００４７】
そして、伝動チェーン１３０にテークアップ張力を付与するテークアップ用スプロケット１５３が投入口前方側スプロケット１５１と従動スプロケット１２２との間に設けられていることにより、駆動スプロケット１２１による駆動力とテークアップ用スプロケット１５３による緊張力とで伝動チェーン１４０を確実に持ち上げてパケット１３１を投入口１１１に近づけて案内でき、また、伝動チェーン１３０の持ち上げ位置を規制し案内する位置規制ガイドレール１７０が投入口前方側スプロケット１５１と投入口後方側スプロケット１５２との間のコンベヤケース１１０内に設けられていることにより、伝動チェーン１３０を搬送側ガイドレール１６０から持ち上げ案内する位置を一定に保持できるなど、その効果は甚大である。
【符号の説明】
【００４８】
１００、２００  ・・・  バケット式コンベヤ
１１０、２１０  ・・・  コンベヤケース
１１１、２１１  ・・・  投入口
１１２、２１２  ・・・  排出口
１２１、２２１  ・・・  駆動スプロケット
１２２、２２２  ・・・  従動スプロケット
１２３、２２３  ・・・  偏向スプロケット
１３０、２３０  ・・・  伝動チェーン
１３１、２３１  ・・・  バケット
１４０、２４０  ・・・  戻り側ガイドレール
１５１、２５１  ・・・  投入口前方側スプロケット
１５２、２５２  ・・・  投入口後方側スプロケット
１５３、２５３  ・・・  テークアップ用スプロケット
１５４、２５４  ・・・  投入口案内スプロケット
１６０、２６０  ・・・  搬送側ガイドレール
１７０、２７０  ・・・  位置規制ガイドレール
Ｍ    ・・・  搬送物
５００  ・・・  従来のバケット式コンベヤ
５１０  ・・・  コンベヤケース
５１１  ・・・  投入口
５３０  ・・・  伝動チェーン
５３１  ・・・  バケット
５４０  ・・・  ガイドレール
５８０  ・・・  飛散防止ガイド
【図１】
2011088742.tif 000003
【図２】
2011088742.tif 000004
【図３】
2011088742.tif 000005
【図４】
2011088742.tif 000006
【図５】
2011088742.tif 000007